(57)【要約】【課題】  より優れた支持の安定性及び動作の順調性を持たせることが可能な横たわったり立ち上がったりすることが自動にできる椅子を提供する。【解決手段】  台座１の前方にモーター４１と枢接する枢接部１１を設け、後方に座部２を受け止める支持部１２を設け、座部２の座枠２１の中央に伝動板４３を枢設する接合部２２を設け、背もたれ３の背もたれ枠３１の下方に座枠２１の後方を枢接する枢接部２３を設け、背もたれ枠２１の下方に枢接部３３１を設けて伝動板４３を枢接する連接ロッド３４を枢接し、伝導機構４は、モーター４１によって伸縮ロッド４２を連れて動作させることができ、伸縮ロッド４２を座部２の中央の位置へ向かわせるように設け、伝動板４３の上方に受け止め部４３１を設け、前側の上下方及び後側の上方にそれぞれ枢接部４３２、４３３、４３４を設け、別々に接合部２２、背もたれ枠３１、連接ロッド３４、及び伸縮ロッド４２と枢接する。【選択図】    図２
0003113404.tif 000002
【実用新案登録請求の範囲】
【請求項１】
台座、座部、背もたれ、及び伝動機構からなり、
該台座の前方に伝動機構のモーターと枢接するための枢接部を設け、
座部には座枠があり、座枠の中央の適当な位置に伝動機構の伝動板と枢設するための接合部を設け、
背もたれには背もたれ枠があり、背もたれ枠の下方に座枠の後方と枢接するための枢接部を設け、又背もたれ枠の下方に枢接部を設けて伝動機構の伝動板と枢接するための連接ロッドを枢接し、
伝動機構にモーター、伸縮ロッド、及び伝動板があり、該モーターによって伸縮ロッドを連れて動作可能であり、伸縮ロッドを座部の中央の適当な位置へ向かわせるようにしておき、伝動板の上方に受止め部を設けて、前側の上・下方及び後側の上方にそれぞれ枢接部を設け、別々に座部の接合部、背もたれ枠、連接ロッド、及び伸縮ロッドと枢接し、そうすると伸縮ロッドを収縮する時、背もたれを後ろに傾けることが可能であり、又伸縮ロッドを伸ばしたら伝動板を連れて回転させることが可能であり、背もたれを収縮すると、伝動板の受止め部が座枠を持ち止めることにより、座枠の後方を起こすことが可能な横たわったり立ち上がったりすることが自動にできる椅子。
【請求項２】
台座の後方に座部の後方を持ち止めるための支持部を設ける請求項１に記載の横たわったり立ち上がったりすることが自動にできる椅子。
【請求項３】
前方に連接板を設け、連接板に二つの連接ロッドの一端を枢設するための枢孔を設け、又座枠の後方に連接板を設けて、連接板に前記連接ロッドのもう一端を枢設するための枢孔を設ける請求項１に記載の横たわったり立ち上がったりすることが自動にできる椅子。
【請求項４】
座部における座枠の前方に足載せ機構を枢設するための枢接部を設け、
また足載せ機構とはクランク機構、足載せ枠、連接ロッドを有するものであり、
該クランク機構の両端は其々座枠の前方にある枢接部及び足載せ枠と枢接しており、クランク機構に連接ロッドの一端を枢設するための枢接部を設け、該連接ロッドのもう一端は伝動板の前側の下方にある枢接部と枢接する請求項１に記載の横たわったり立ち上がったりすることが自動にできる椅子。
【請求項５】
座枠に肘掛枠を連接に設けることが可能な請求項１に記載の横たわったり立ち上がったりすることが自動にできる椅子。
【請求項６】
台座の前方に座部の前方と枢接するための枢接部を設け、
座部の座枠に前、後枠があり、該前、後枠を枢接して組み合わせることにより、伸縮ロッドを伸ばしながら伝動板の受止め部が座枠を持ち止めるようにさせると座枠の後方を起こしながら前方が曲折になるように動作させることが可能な請求項１に記載の横たわったり立ち上がったりすることが自動にできる椅子。
【請求項７】
台座の前側に連接ロッドの一端を枢設するための枢接部を設け、
連接ロッドのもう一端が座部の後枠と枢接し、
台座の前側に足載せ機構と接合するための枢接部を設け、
背もたれ枠において連接ロッドの一端が枢設され、
足載せ機構とはクランク機構、足載せ枠を有するものであり、該クランク機構の両端はそれぞれ台座の前記枢接部及び足載せ枠と枢接し、該クランク機構は背もたれ枠の前記連接ロッドと接合する請求項１または請求項６に記載の横たわったり立ち上がったりすることが自動にできる椅子。
【請求項８】
クランク機構に弾性パーツの一端を連接に設け、該弾性パーツのもう一端が台座と接合する請求項７に記載の横たわったり立ち上がったりすることが自動にできる椅子。
【考案の詳細な説明】
【技術分野】
【０００１】
本考案は、体を起こす動作を便利にするため、背もたれを後へ傾けたり座部を起こしたりするのを自動にできるような椅子に関するものである。
【背景技術】
【０００２】
従来知られた椅子は、使用上の利便及び快適さを促進するに当たって、自動に横たえたり起こしたりできる機能を持たせ、且足の不自由の人が体を起こすには便利に動作できるように設計されたものである。
図９及び図１０に示されたものは従来知られた構造の一つであり、主として台座１０’、座部１１’、背もたれ１２’、伝動機構１３’、及び足載せ機構１４’からなり、該伝動機構１３’にモーター１３１’及び伸縮ロッド１３２’があり、該モーター１３１’の一端は台座１０’の後方と枢接し、伸縮ロッド１３２’を台座１０’の後方から前方へ向かって設け、前端が座部１１’の前方と枢接し、又背もたれ１２’と座部１１’とを枢接して組み合せにし、足載せ機構１４’は座部１１’及び伝動機構１３’と連動して接合するため、伸縮ロッド１３２’を収縮したら背もたれ１２’を連れて後へ傾けたり足載せ機構１４’を伸ばしたりすることができ、又伸縮ロッド１３２’が伸びると背もたれ１２’及び足載せ機構１４’を連れて収縮させながら座部１１’の後方を起こすことができるため、着座者が体を起こす際、利便が図られる。
【０００３】
しかしながら、前記の構造では、着座者の重心は普通、座部１１’の中央に近い所にあるが、該伝動機構１３’の伸縮ロッド１３２’が力を入れる位置は座部１１’の前端にあるため、作動の安定性がよくなく、又該伸縮ロッド１３２’が台座１０’の後方から前方へ向かって設けられたため、力を入れる方向が座部１１’における中央の後方の位置と直接に対応できなくなって座部１１’の後方を起こす時の支持性が悪くなる欠点をもたらした。
【０００４】
それから図１１及び図１２に示されたのはもう一つの構造であり、主としては台座２０’、座部２１’、背もたれ２２’、伝動機構２３’、及び足載せ機構２４’からなり、該伝動機構２３’にモーター２３１’及び伸縮ロッド２３２’があり、伸縮ロッド２３２’を台座２０’の前方から後方へ向かって設け、頂端が背もたれ２２’と接合し、又該背もたれ２２’は座部２１’と接合し、足載せ機構２４’は伝動機構２３’及び座部２１’と接合するため、伸縮ロッド２３２’を収縮したら背もたれ２２’を後へ傾けたり足載せ機構２４’を伸ばしたりすることができ、又伸縮ロッド２３２’を伸ばすと背もたれ２２’及び足載せ機構２４’を収縮したり座部２１’の後方を起こしたりさせることができる。
【考案の開示】
【考案が解決しようとする課題】
【０００５】
唯、前記した構造では、伸縮ロッド２３２’の前端が力を入れた所は背もたれ２２’及び座部２１’の後端と対応する位置にあるため、その位置は着座者の重心（座部における中心の後方の位置）に対応していないから座部２１’の後方を起こした時の支持性が悪くなる欠点をもたらす。
【課題を解決するための手段】
【０００６】
本考案における請求項に記載された椅子には主として台座、座部、背もたれ、及び伝動機構があり、該台座の前方に伝動機構のモーターと枢接するための枢接部を設け、後方に座部を受け止めるための支持部を設け、又座部には座枠があり、座枠の中央の適当な位置に後述の伝動機構の伝動板を枢設するための接合部を設け、又背もたれには背もたれ枠があり、背もたれ枠の下方に座枠の後方を枢接するための枢接部を設け、又背もたれ枠の下方に枢接部を設けて伝動機構の伝動板を枢接するための連接ロッドを枢接し、又伝動機構にモーター、伸縮ロッド、及び伝動板があり、該モーターによって伸縮ロッドを連れて動作させることができ、又伸縮ロッドを座部の中央の位置へ向かわせるように設け、伝動板の上方に受け止め部を設けて、前側の上、下方及び後側の上方にそれぞれ枢接部を設け、別々に座部の接合部、背もたれ枠、連接ロッド、及び伸縮ロッドと枢接し、そうすると伸縮ロッドを収縮する時、背もたれを後ろへ傾けることができ、又伸縮ロッドを伸ばしたら伝動板を連れて回転させることができ、背もたれを収縮すると、伝動板の受け止め部が座枠を持ち止めることにより、座枠の後方を起こすことができ、全体の動作に渡ってより優れた支持の安定性及び動作の順調性を持たせることができる。
【０００７】
又本考案におけるもう一つの目的とは、足載せ機構を設け、足載せ機構が伝動機構の動作と対応して伸びたり収縮したりできるようにしたことにある。
又本考案の又もう一つの目的とは肘掛枠を設けたことにある。
又本考案の更にもう一つの目的とは、座部の座枠において前、後の枠を設けて、前、後の枠を枢接して組み合せて、座部の後方を起こしたら前、後の枠が曲折に動作できるようにしたことにある。
【考案を実施するための最良の形態】
【０００８】
図１及び図２に示すように、本考案の第一実施例による横たわったり立ち上がったりすることが自動にできる椅子は、台座１、座部２、背もたれ３、伝動機構４、及び足載せ機構５の組み合わせからなり、該台座１においてその前方の中央に後述の伝動装置４のモーター４１の一端を枢設するための枢接部１１を設け、後方に座部２を受け止めるための支持部１２を設け、又台座１の前方の両側に連接板１３を設け、連接板１３に二つの連接ロッド１４の一端を枢設するための枢孔１３１を設け、該二つの連接ロッド１４のもう一端は座部２に枢接する。
【０００９】
座部２には座枠２１があり、座枠２１の中央の適当な所に後述の伝動機構４の伝動板４３を枢設するための接合部２２を設け、該接合部２２に伝動板４３を枢設するための枢接部２２１があり、又座枠２１の後方に背もたれ３と枢接する枢接部２３を設け、両側の下方に連接板２４を設け、連接板２４に前記連接ロッド１４のもう一端を枢設するための枢孔２４１を設け、又座枠２１の前方に足載せ機構５を枢設するための枢接部２５を設ける。
【００１０】
背もたれ３に背もたれ枠３１があり、背もたれ枠３１の下方両側に枢接部３２を設け、枢接パーツによって座枠２１の後方にある枢接部２３と枢接し、又背もたれ枠２１の下方に横ロッド３３を設け、横ロッド３３の中央に枢接パーツで枢接される連接ロッド３４の一端を枢設するための枢接部３３１を設け、該連接ロッド３４のもう一端は伝動板４３と枢接する。
【００１１】
伝動機構４は主としてモーター４１、伸縮ロッド４２、及び伝動板４３からなり、該モーター４１の一端は台座１の前方の枢接部１１に枢接し、伸縮ロッド４２を伸縮動作に連れることができ、又伸縮ロッド４２の前端は座部２の後方の中央の適当な位置に向かって、枢接パーツによって伝動板４３と枢接されており、又伝動板４３は２枚の板からなり、座枠２１の接合部２２の位置に設けられ、伝動板４３の上方に受け止め部４３１を設け、又伝動板４３の前側の上、下方及び後側の上方にそれぞれ枢接部４３２、４３３、４３４を設け、枢接部４３２は枢接パーツ４３２で座部２の接合部２２と枢接し、又枢接部４３３は背もたれ枠３１及び後述の足載せ機構５の連接ロッド３４、５３の一端と枢接し、又枢接部４３４は伸縮ロッド４２と枢接する。
【００１２】
足載せ機構５には、クランク機構５１、足載せ枠５２、及び連接ロッド５３があり、該クランク機構５１の両端はそれぞれ座枠２１の前方にある枢接部２５及び足載せ枠５２と枢接し、クランク機構５１に連接ロッド５３の一端を枢設するための枢接部５１１を設け、該連接ロッド５３のもう一端は伝動板４３の前側の下方にある枢接部４３３と枢接する。
【００１３】
第一実施例は上記の組み合せにより、伝動機構４のモーター４１を利用して伸縮ロッド４２が収縮になったら伝動板４３が動き出すように連れて、前側の上方にある枢接部４３２を回転軸として回転させ、後側を下へ移動させながら、伝動板４３の前側の下方がそれに対応して前へ移動することにより、背もたれ枠３１の連接ロッド３４を連れて後へ移動したり背もたれ枠３１を後へ傾けたりするように動作させると同時に、足載せ機構５の連接ロッド５３を前へ移動させることによってクランク機構５１を前へ向かって伸ばしたり、足載せ枠５２を起こしたりするように動作させる。
【００１４】
図３に示すように、第一実施例ではモーター４１を起動して伸縮ロッド４２が伸びた時、伝動板４３の後側を連れて上へ移動できるようにし、背もたれ枠３１の連接ロッド３４及び足載せ機構５の連接ロッド５３がそれに対応して後へ移動できるようにすることにより、背もたれ枠３１を起こしたり足載せ機構５を収縮したりするように動作させることができる。
【００１５】
図４に示すように、第一実施例では、着座者は体を起こす場合、伸縮ロッド４２を伸ばして伝動板４３の受け止め部４３１が座枠２１の接合部２２を受け止めるようし、座枠２１が伸縮ロッド４２と対応して伸びるようになるため、座枠２１の後方を起こしたり前方を下傾に動作したりさせることで着座者が身を起こすには便利になる。座枠２１が上へ移動するとその両側は連接板２４及び連接ロッド１４によって台座１の連接板１３と接合されため、より優れた動作及び支持の安定性を有するようになるし、伝動機構４を前向きから後ろ向きにさせて座枠２１の重心位置に向かって力を入れて受け止めるようになるため、より優れた動作の安定性が得られる。
図５に示すように、第一実施例における座枠２１は、座る快適さを促進するために肘掛枠６を連接に設けることもできる。
【００１６】
図６に示すように、本考案の第二実施例による横たわったり立ち上がったりすることが自動にできる椅子は、台座７１、座部７２、背もたれ７３、伝動機構７４、及び足載せ機構７５からなるものであり、該台座７１の前方中央に後述の伝動装置７４のモーター７４１の一端を枢設するための枢接部７１１を設け、後方に座部７２を受け止めるための支持部７１２が設けられ、また前方に後述の座部７２の後枠体７２３の前方と枢接するための枢接部７１３を設け、又台座７１の前側に足載せ機構７５を枢設するための枢接部７１４を設け、枢接部７１５を設置して連接ロッド７１６の一端を枢設し、連接ロッド７１６のもう一端は座部７２と枢接し、又台座７１に肘掛枠７１７を設ける。
【００１７】
座部７２は座枠７２１を備え、座枠７２１に前、後枠体７２２、７２３があり、前、後枠体７２２、７２３を枢接して組み合わせておき、又座枠７２１の後枠体７２３の中央の適当な箇所に後述の伝動機構７４の伝動板７４３を枢設するための接合部７２４が設けられ、該接合部７２４に伝動板を枢設する枢接部７２５があり、又座枠７２１の前枠体７２２の前端に台座７１を枢接するための枢接部７２６を設置し、又後枠体７２３に背もたれ７３と枢接するための枢接部７２７を設け、枢接部７２８において連接ロッド７１６のもう一端を枢設して、該連接ロッド７１６のもう一端は台座７１と枢接する。
【００１８】
背もたれ７３に背もたれ枠７３１があり、背もたれ枠７３１の下方に枢接部７３２を設けて枢接パーツによって座枠７２１と枢接し、又底端に横ロッド７３３を設けて横ロッド７３３に枢接部７３４、７３５を設け、該枢接部７３４には連接ロッド７３６の一端を枢設し、該連接ロッド７３６のもう一端は伝動板７４３と枢接し、又該枢接部７３５に連接ロッド７３７の一端を枢設し、該連接ロッド７３７のもう一端に細長い溝孔７３７１を設けて足載せ機構と接合する。
【００１９】
伝動機構７４は主としてモーター７４１、伸縮ロッド７４２、及び伝動板７４３を有し、該モーター７４１の一端は台座７１の前方の枢接部７１１と枢接し、伸縮ロッド７４２を連れて動作でき、又伸縮ロッド７４２の前端は座部７２の後の中央位置に向かいながら伝動板７４３と枢接し、又伝動板７４３の上方に受け止め部７４３１を設け、又伝動板７４３の前側の上、下方及び後側の上方においてそれぞれ枢接部７４３２、７４３３、７４３４を設け、それぞれ枢接パーツによって座部７２及び背もたれ枠７３の連接ロッド７３６の一端、伸縮ロッド７４２と枢接している。
【００２０】
足載せ機構７５にクランク機構７５１及び足載せ枠７５２があり、クランク機構７５１の両端はそれぞれ台座７１の前方底部の枢接部７１４及び足載せ枠７５２と枢接し、又該クランク機構７５１は接合パーツによって背もたれ枠７３の外側にある連接ロッド７３７の溝孔７３７１と接合し、又クランク機構７５１において弾性パーツ７５３の一端を連接に設け、該弾性パーツ７５３のもう一端は台座７１の横ロッド（図の中に示されていないが）と接合する。
【００２１】
モーター７４１で伸縮ロッド７４２を収縮するように命じたら伝動板７４３を連れて、前側上方にある枢接部７４３２を回転軸として回転させると後側を下へ移動させることができ、伝動板７４３の前側下方を前へ移動するように対応させることにより、背もたれ枠７３１の連接ロッド７３６を前へ移動し、背もたれ枠７３１を後ろへ傾けるように連れて動作させ、同時に背もたれ枠７３１の下方にある連接ロッド７３７を前へ移動させることにより、クランク機構７５１を連れて前向きに伸展したり、足載せ枠７５２を起立したりさせながら弾性パーツ７５３を引き伸ばす。
【００２２】
図７にしめすように、第二実施例においてモーターを起動させると、伸縮ロッド７４２が伸びてから伝動板７４３の後側を連れて上へ移動させることができるため、背もたれ枠７３１が起立したりクランク機構７５１が収縮したりするように動作させることができ、該弾性パーツ７５３とはクランク機構７５１を収縮させるのを補助できるものである。
図８に示すように、第二実施例において、着座者は立ち上がりたい場合、伸縮ロッド７４２を展開させて伝動板７４３の受け止め部７４３１が座枠７２１を受け止めるようにさせ、座枠７２１の後方を起こすように動作させることができ、前枠体７２２と後枠体７２３を曲折にすることによって着座者の起立動作に役立ち、座枠７２１が上へ移動したら連接ロッド７１６と台座７１との接合により、より優れた作動安定性が備えられ、また伝動機構７４は、前から後へ座枠７２１の重心位置に力を入れて受け止めるように動作するためより優れた安定性が備えられる。
それから、本考案における前述の実施例の足載せ機構及び肘掛枠は必ずしも設置する必要がないため、前記のようなパーツを設置しない場合でも本考案の設計範囲内に属されるべきである。そこで上記の如き、本考案の実施例の構造では確かに周知の製品より作動の安定性及び操作の順調性を有するため、法律に基づき特許請求を提出するのである。
【図面の簡単な説明】
【００２３】
【図１】本考案の第一実施例における立体のイメージ図。
【図２】本考案の第一実施例において背もたれを後ろへ傾けて足載せ機構を伸展させるイメージ図。
【図３】本考案の第一実施例において背もたれ及び足載せ機構を復元させるイメージ図。
【図４】本考案の第一実施例において座部を起こさせるイメージ図。
【図５】本考案の第一実施例において肘掛枠を組み設けるイメージ図。
【図６】本考案の第二実施例において背もたれを傾けて足載せ機構を伸展させるイメージ図。
【図７】本考案の第二実施例において背もたれ及び足載せ機構を復元させるイメージ図。
【図８】本考案の第二実施例において座部を起こさせるイメージ図。
【図９】従来知られた製品の構造において背もたれを傾けて足載せ機構を伸展させるイメージ図。
【図１０】従来知られた製品の構造において背もたれ及び足載せ機構を復元させる時及び座部を起こさせた時のイメージ図。
【図１１】もう一つの従来知られた製品の構造において背もたれを傾けて足載せ機構を伸展させるイメージ図
【図１２】もう一つの従来知られた製品の構造において背もたれ及び足載せ機構を復元させた時及び座部を起こさせた時のイメージ図
【符号の説明】
【００２４】
１  台座、１１  枢接部、１２  支持部、１３  連接板、１３１  枢孔、１４  連接ロッド、２  座部、２１  座枠、２２  接合部、２２１  枢接部、２３  枢接部、２４  連接板、２４１  枢孔、２５  枢接部、３  背もたれ、３１  背もたれ枠、３２  枢接部、３３  横ロッド、３３１  枢接部、３４  連接ロッド、４  伝動機構、４１  モーター、４２  伸縮ロッド、４３  伝動板、４３１  受け止め部、４３２  枢接部、４３３  枢接部、４３４  枢接部、５  足載せ機構、５１  クランク機構、５１１  枢接部、５２  足載せ枠、５３  連接ロッド、６  肘掛枠、７１  台座、７１１  枢接部、７１２  支持部、７１３  枢接部、７１４  枢接部、７１５  枢接部、７１６  連接ロッド、７１７  肘掛枠、７２  座部、７２１  座枠、７２２  前枠体、７２３  後枠体、２４  接合部、７２５  枢接部、７２６  枢接部、７２７  枢接部、７２８  枢接部、７３  背もたれ、７３１  背もたれ枠、７３２  枢接部、７３３  横ロッド、７３４  枢接部、７３５  枢接部、７３６  連接ロッド、７３７  連接ロッド、７３７１  溝孔、７４  伝動機構、７４１  モーター、７４２  伸縮ロッド、７４３  伝動板、７４３１  受け止め部、７４３２  枢接部、７４３３  枢接部、７４３４  枢接部、７５  足載せ機構、７５１  クランク機構、７５２  足載せ枠、７５３  弾性パーツ
【図１】
0003113404.tif 000003
【図２】
0003113404.tif 000004
【図３】
0003113404.tif 000005
【図４】
0003113404.tif 000006
【図５】
0003113404.tif 000007
【図６】
0003113404.tif 000008
【図７】
0003113404.tif 000009
【図８】
0003113404.tif 000010
【図９】
0003113404.tif 000011
【図１０】
0003113404.tif 000012
【図１１】
0003113404.tif 000013
【図１２】
0003113404.tif 000014